(57)【特許請求の範囲】
【請求項１】
蓄熱材とその上方に配置された床材との間に形成された空気層中には、熱放射率の高い物質からなる膨張収縮自在な袋体とこの袋体内への送風手段、並びに低熱放射率の面体とが備えられていることを特徴とする蓄熱床暖房構造。
【請求項２】
袋体とその上側外面に配設された低熱放射率の面体が備えられている請求項１の蓄熱床暖房構造。
【請求項３】
袋体とともに、床材裏面に配置された低熱放射率の面体が備えられている請求項１の蓄熱床暖房構造。
【請求項４】
袋体とその上側上面に配設された低熱放射率の面体、並びに床材裏面に配置された低熱放射率の面体が備えられている請求項１の蓄熱床暖房構造。
【請求項５】
袋体とその上側内面に配設された低熱放射率の面体が備えられている請求項１の蓄熱床暖房構造。
【請求項６】
袋体とその下側内面に配設された低熱放射率の面体が備えられている請求項１の蓄熱床暖房構造。
【請求項７】
袋体とその上側内面および下側内面の各々に配設された低熱放射率の面体が備えられている請求項１の蓄熱床暖房構造。
【請求項８】
可撓性で熱放射率の高い中仕切りによって内部が上下２つの空間に区切られている袋体と、袋体内面上側、袋体内面下側、中仕切り上側および中仕切り下側のいずれかに配置された低熱放射率の面体を備えている請求項１の蓄熱床暖房構造。
【請求項９】
可撓性で熱放射率の高い中仕切りによって内部が上下２つの空間に区切られている袋体と、袋体内面下側および中仕切り下側、または袋体内面上側および中仕切り上側に配置された低熱放射率の面体を備えている請求項１の蓄熱床暖房構造。
【請求項１０】
袋体の内部には、突起部が設けられているか、またスペーサー部材が配置されている請求項１ないし８のいずれかの蓄熱床暖房構造。
【請求項１１】
蓄熱材はヒーター上に配置されている請求項１ないし９のいずれかの蓄熱床暖房構造。
【発明の詳細な説明】
【０００１】
【発明の属する技術分野】
この出願の発明は、蓄熱床暖房構造に関するものである。さらに詳しくは、この出願の発明は、蓄熱材に蓄えた熱の放熱を自在に制御することのできる新しい蓄熱床暖房構造に関するものである。
【０００２】
【従来の技術】
従来より、住宅等の暖房装置として、床面下方に電気またはガスを駆動源とするヒータを設けた床暖房構造が知られている。また、ヒータの熱を蓄熱材に蓄え、この蓄熱を徐々に放出することによってヒータの運転時間を短縮することのできる経済性に優れた蓄熱床暖房構造も知られている。特に、電気駆動ヒータの場合には、電気料の安価な深夜電力によって蓄熱材を熱し、その蓄熱を昼間に使用することができるという利点を有している。
【０００３】
この蓄熱床暖房構造では、図２４に断面図を例示したように、例えば断熱材（１）上の合板（２）と床材（３）の間に根太（４）を介在させて空気層（５）を設け、この空気層（５）にヒータ（６）および蓄熱材（７）を配設している。ヒータ（６）の熱は蓄熱材（７）に蓄えられ、この蓄熱材（７）から放出された熱が空気層（５）を介した輻射熱として床材（３）を加温するようになっている。
【０００４】
【発明が解決しようとする課題】
しかしながら、図２４に例示したような従来の蓄熱床暖房構造の場合には、蓄熱材（７）からの熱放出を制御できないために、２４時間、例えば室内に人が不在であって、外出時や就寝時のリビングルームなど、暖房の必要のない時でも一定の熱を連続して放出してしまうため、ランニングコストの高くなるという問題があった。このため、必要時に備えて常に一定間隔でヒータ（６）を運転する必要があり、経済性および省エネルギー対策の点で問題があった。また、外気温の上昇によって暖房が必要ない場合、たとえば秋口や春先など、暖房が必要な時期でも比較的外気温が高い時、あるいは一日の内でも気温が高くなる昼間等でも蓄熱材（７）からの放熱を制御できないために、室温が高くなりすぎてしまうという不都合も存在した。
【０００５】
このため、例えば、ヒータ（６）の下側にエアバック等を配設し、エアバック内への空気供給量を調節することによってヒータ（６）および蓄熱材（７）を上下させ、これによって空気層（５）の厚みを変化させて熱放出量を制御する構造が提案されている（特開平４−１９４５１８号公報）。しかしながら、確かに空気層の熱伝導率は空気層の厚みによって変化するが、その変化量は極わずかであるため、この従来構造の場合には上記の問題点を解決するほどの効果をあげていないのが実状である。
【０００６】
この出願は、以上のとおりに事情に鑑みてなされたものであって、従来の蓄熱床暖房構造の問題点を解消し、蓄熱材からの放熱量を自在に制御することのできる新しい蓄熱床暖房構造を提供することを課題としている。
【０００７】
【課題を解決するための手段】
この出願は、上記の課題を解決する第１の発明として、蓄熱材とその上方に配置された床材との間に形成された空気層中には、熱放射率の高い物質からなる膨張収縮自在な袋体とこの袋体内への送風手段、並びに低熱放射率の面体とが備えられていることを特徴とする蓄熱床暖房構造を提供する。
【０００８】
そして、第１の発明について、この出願は、第２の発明として、袋体とその上側外面に配設された低熱放射率の面体が備えられている蓄熱床暖房構造を、第３の発明として、袋体とともに、床材裏面に配置された低熱放射率の面体が備えられている蓄熱床暖房構造を、第４の発明として、袋体とその上側上面に配設された低熱放射率の面体、並びに床材裏面に配置された低熱放射率の面体が備えられている蓄熱床暖房構造を、第５の発明として、袋体とその上側内面に配設された低熱放射率の面体が備えられている蓄熱床暖房構造を、第６の発明として、袋体とその下側内面に配設された低熱放射率の面体が備えられている蓄熱床暖房構造を、第７の発明として、袋体とその上側内面および下側内面の各々に配設された低熱放射率の面体が備えられている蓄熱床暖房構造が備えられている蓄熱床暖房構造を提供する。
【０００９】
そして、この出願は、さらに、第１の発明について、第８の発明として、可撓性で熱放射率の高い中仕切りによって内部が上下２つの空間に区切られている袋体と、袋体内面上側、袋体内面下側、中仕切り上側および中仕切り下側のいずれかに配置された低熱放射率の面体を備えている蓄熱床暖房構造を、第９の発明として、可撓性で熱放射率の高い中仕切りによって内部が上下２つの空間に区切られている袋体と、袋体内面下側および中仕切り下側、または袋体内面上側および中仕切り上側に配置された低熱放射率の面体を備えている蓄熱床暖房構造をも提供する。
【００１０】
さらにまた、この出願は、第９の発明として、袋体の内部には、突起部が設けられているか、またスペーサー部材が配置されている前記いずれかの発明の蓄熱床暖房構造を、第１０の発明として、蓄熱材はヒーター上に配置されている前記いずれかの発明の蓄熱床暖房構造を提供する。
【００１１】
【発明の実施の形態】
この出願の発明は、以上のとおりの特徴をもつものであるが、密閉空気層の熱抵抗と熱放射性（熱伝導性）の知見に基づいている。この出願の発明では、密閉空気層に低熱放射材を配置すると熱放射抑制状態となることを、蓄熱床暖房の構造として実現している。
【００１２】
【実施例】
図１は、この出願の第１発明および第２発明の蓄熱床暖房構造を例示した断面図である。
例えばこの図１に例示したように、この発明の蓄熱床暖房構造では、断熱材（１）上の合板（２）と床材（３）の間に根太（４）を介在させて空気層（５）を設け、この空気層（５）にヒータ（６）および蓄熱材（７）を配設し、さらに蓄熱材（７）と床材（３）との間には放熱量制御装置（８）として、たとえば図１に例示したような、袋体（１１）とこの袋体（１１）の上側上面に配置したアルミニウム箔や銅箔等の熱放射率の低い（熱伝導率の高い）面体（１４）を備えている。そして、この袋体（１１）には、送風手段として、たとえばダクト（１２）に連結したファン（１３）とを配置し、空気を袋体（１１）中に送りこみまたこれが排気できるようにしている。袋体（１１）はこのため膨張収縮自在である。
【００１３】
そして袋体（１１）は高い熱放射率（低い熱伝導率）を持つ素材によって構成されている。各種の樹脂、プラスチックのシートやフィルムにより構成されたものがその代表例である。
図２は、以上の例の場合の放熱促進の状態と放熱抑制の状態とを例示したものである。
（放熱促進状態）
ファン（１３）を運転すると、送風ダクト（１２）を通して袋（１１）の中の空間（１０）に空気が送風され、袋（１１）内の圧力が上がり、袋（１１）はふくらんでいき、やがて袋（１１）の上側は床材（３）裏面に密着する。この状態では、袋（１１）内部で形成される空気層は、空気層上面および下面とも放射率の高い材質で形成されるので、（放熱抑制状態に比較して）空気層の熱抵抗は小さくなる。
【００１４】
よって、蓄熱材（７）からの放熱は、（放熱抑制状態のときより）大きくなる。
（放熱抑制状態）
ファン（１３）を停止すると、袋（１１）の自重により、袋（１１）はしぼむ。この状態では、床材（３）裏面とアルミ箔面体（１４）との間で形成される空気層は、空気層下面が放射率の低い材質の面体（１４）で形成されるので、（放熱抑制状態に比較して）空気層の熱抵抗は大きくなる。
【００１５】
よって、蓄熱材からの放熱は、（放熱促進状態のときより）小さくなる。
以上のとおりの状態を切り替えることにより放熱制御が可能となる。
このような放熱制御は、密閉空気層の熱抵抗（ｒａ）が材料そのものの熱伝導率の逆数の関係にあることによる。つまり、熱伝導率の高いアルミニウムや銅等を空気層を構成する面体（１４）とし、図２の放熱抑制状態とすれば空気層の熱抵抗は大きくなって放熱が抑制されるのである。
【００１６】
一方、図２の放熱促進状態では、面体（１４）は直接に空気層を構成せず、熱放射率の高い袋体（１１）の樹脂が空気層を構成することから放熱が促進されることになるのである。
図３は、低熱放射率の面体（１４）を、袋体（１１）にではなく、床材（３）の裏面に配置した例を示している。図４は、袋体（１１）の上側外面と床材（３）の裏面の各々にこの面体（１４）を配置した例を示している。いずれの場合も図２と同様に放熱制御されるが、図４の構造においては、空気層を直接構成するアルミニウム箔等の低熱放射率の面体（１４）上下両面において空気層を直接構成しているため、空気層の熱抵抗はより大きなものとなり、放熱抑制の効果はより大きくなる。
【００１７】
一方、低熱放射率の面体（１４）を袋体（１１）の内側に配設すると事情は変わってくる。
たとえば図５は、袋体（１１）の上側内面を低熱放射率の面体（１４）としているが、この場合には、図２の外側に配置した場合とは放熱の促進と抑制の関係は逆になる。この図５の例では、蓄熱材（７）からの熱は、空気層の下側を構成する袋体（１１）の樹脂等の高い熱放射率の材料の存在によって放熱が促進されるが、袋体（１１）に空気を吹込んで膨張させると、空気層の上側は低熱放射率の面体（１４）により構成されるため熱抵抗が大きく、放熱は抑制されることになる。
【００１８】
図６および図７は、同様の原理で放熱促進と放熱抑制とを行うための構造として、低熱放射率の面体（１４）を袋体（１１）の内面の、下側（図６）に、また上側と下側（図７）に配置した例を示している。放熱抑制の効果は、図７がより大きくなる。
図８および図９は、蓄熱床暖房構造に用いる中仕切りを持った放熱制御手段を例示した側断面図である。
【００１９】
この放熱制御装置（８１）は、可撓性の中仕切り（９）によって内部が上下２つの空間（１０Ａ）（１０Ｂ）に区切られている袋体（１１）と、これら２つの空間（１０Ａ）（１０Ｂ）にダクト（１２Ａ）（１２Ｂ）を介して送風するファン（１３Ａ）（１３Ｂ）とを有している。袋体（１１）は、一定の膨張形態を持つものでもよく、あるいは可撓性材料からなり、送風によって膨張するようなものであってもよい。ただし、袋体（１１）および中仕切り（９）は、熱放射率の高い材質で構成する。例えばウレタン、ゴム等のフィルム、シート等である。この袋体（１１）はまた、その内面下側に熱放射率の低い材質からなる面材（１４）を貼付している。前記のように、このような面材（１４）としては、例えば熱伝導率の高いアルミ箔や銅板を用いることができる。
【００２０】
このような放熱制御装置（８１）によって蓄熱材（７）からの放熱を促進する場合には、図８に示したように、ファン（１３Ａ）をＯＮ、ファン（１３Ｂ）をＯＦＦにし、ダクト（１２Ａ）を通して空間（１０Ａ）に空気を送り込むことによって、袋体（１１）の外面上側を床材（３）に密着させ、袋体（１１）の外面下側を蓄熱材（７）に密着させる。この時、中仕切り（９）は下方に移動し、袋体（１１）の内面下側に貼付した面体（１４）に密着した状態となる。この状態では、空間（１０Ａ）が輻射熱を伝えるための空気層となるが、この空間（１０Ａ）は熱放射率の高い袋体（１１）および中仕切り（９）によって形成されているため、空気層の熱抵抗は小さくなり、放熱が促進される。
【００２１】
次に、放熱を抑制する場合には、図９に例示したように、ファン（１３Ａ）をＯＦＦ、ファン（１３Ｂ）をＯＮにし、空間（１０Ｂ）に空気を送り込む。空間（１０Ａ）の空気はダクト（１２Ａ）を介して排出され、中仕切り（９）は上方に移動して、袋体（１１）の上側に密着した状態となる。この状態では、面体（１４）が空間（１０Ｂ）に露出し、輻射熱を伝える空気層である空間（１０Ｂ）は、熱放射率の高い中仕切り（９）と熱放射率の低い面体（１４）とによって形成されるため、空気層の熱抵抗は大きくなり、放熱が抑制されることとなる。
【００２２】
このように、この放熱制御手段（８１）を設けた蓄熱床暖房構造においては、室内に設置したスイッチによってファン（１３Ａ）（１３Ｂ）の作動を操作することによって、蓄熱材（７）からの熱放出を制御することができる。
なお、この放熱制御手段（８１）においては、図８に示したような放熱の促進時には空気層が熱放射率の高い袋体（１１）面および中仕切り（９）によって形成され、図９に示したような放熱の抑制時には熱放射率の低い面体（１４）が露出するようにすることを構成上の必須としている。従って、面体（１４）の貼付位置は、図８および図９に例示したような袋体（１１）の内面下側の他、袋体（１１）の内面上側、中仕切り（９）の上側および下側のいずれであってもよい。
【００２３】
図１０は、放熱制御手段（８１）の別の態様を例示した側断面図である。この図１０に例示した放熱制御手段（８１）は、ファン（１３）からの送風を四方弁（１５）の切り替えによってダクト（１２Ａ）（１２Ｂ）に振り分けるようにしている。
図１１は、放熱制御手段（８１）のさらに別の態様を例示した側断面図である。この図１１に例示した放熱制御手段（８１）は、可撓性の袋体（１１Ａ）（１１Ｂ）がそれぞれダクト（１２Ａ）（１２Ｂ）に連結しており、２つの袋体（１１Ａ）（１１Ｂ）の密着面が中仕切り（９）となっている。
【００２４】
図１２および図１３は、蓄熱床暖房構造に用いるさらに別の放熱制御手段（８２）を例示した側断面図である。
この放熱制御手段（８２）は、熱放射率の低い材質からなる面体（１４Ａ）（１４Ｂ）をそれぞれ中仕切り（９）の下側と袋体（１１）の内面下側の２カ所に貼付している。
【００２５】
このような放熱制御手段（８２）によって蓄熱材（７）からの放熱を促進する場合には、図１２に示したように、ファン（１３Ａ）をＯＮ、ファン（１３Ｂ）をＯＦＦにし、ダクト（１２Ａ）を通して空間（１０Ａ）に空気を送り込むことによって、袋体（１１）の外面上側を床材（３）に密着させ、袋体（１１）の外面下側を蓄熱材（７）に密着させる。この時、中仕切り（９）は下方に移動し、その下面に貼付した面体（１４Ａ）は袋体（１１）の内面下側に貼付した面体（１４Ｂ）に密着した状態となる。この状態では、空間（１０Ａ）が輻射熱を伝えるための空気層となるが、この空間（１０Ａ）は熱放射率の高い袋体（１１）および中仕切り（９）によって形成されているため、空気層の熱抵抗は小さくなり、放熱が促進される。
【００２６】
次に、放熱を抑制する場合には、図１３に例示したように、ファン（１３Ａ）をＯＦＦ、ファン（１３Ｂ）をＯＮにし、空間（１０Ｂ）に空気を送り込む。空間（１０Ａ）の空気はダクト（１２Ａ）を介して排出され、中仕切り（９）は上方に移動して、袋体（１１）の上側に密着した状態となる。この状態では、輻射熱を伝える空気層である空間（１０Ｂ）は上下とも熱放射率の低い面体（１４Ａ）（１４Ｂ）によって形成されるため、空気層の熱抵抗は特に大きくなり、放熱が抑制されることとなる。
【００２７】
なお、面体（１４Ａ）（１４Ｂ）の貼付位置は、図１２および図１３に示した位置のほか、袋体（１１）の内面下側および中仕切り（９）の上側とすることもできる。
図１４は、別の態様を例示した側断面図である。この図１４では、ファン（１３）からの送風を四方弁（１５）の切り替えによってダクト（１２Ａ）（１２Ｂ）に振り分けるようにしている。
【００２８】
図１５は、放熱制御手段（８２）のさらに別の態様を例示した側断面図である。この図１５に例示した放熱制御手段（８２）は、可撓性の袋体（１１Ａ）（１１Ｂ）がそれぞれダクト（１２Ａ）（１２Ｂ）に連結しており、２つの袋体（１１Ａ）（１１Ｂ）の密着面が中仕切り（９）となっている。
たとえば以上のように、この発明の構造によって蓄熱材による床暖房のための放熱の促進および抑制が効果的に制御されることになる。
【００２９】
ただ、以上の例では、袋体（１１、１１Ａ、１１Ｂ）をしぼませるときは、袋体（１１）の自重で袋内の空気をダクト（１２、１２Ａ、１２Ｂ）を通して、外に押し出すものであるが、袋体（１１）の自重が軽いときなどに、空気の排出に要する時間が長くなってしまう。
また、空気の排出に要する時間を速くするために、吸出用のファン（１３、１３Ａ、１３Ｂ）またはエアポンプなどを設置すると、袋体（１１，１１Ａ，１Ｂ）に接続されたダクト（１２、１２Ａ、１２Ｂ）の口付近から先に袋がしぼんでいき、ダクト（１２、１２Ａ、１２Ｂ）の口付近で閉塞してしまい、袋体（１１、１１Ａ、１１Ｂ）内の空気がすべて排出されないことがある。
【００３０】
そこで、袋内の空気を排出する時間を短くしながら、残された空気がほとんどないようにすることが望ましいのである。
そのために有効な手段は、袋体の内部に突起部を設けておくことや、袋体の内部にスペーサー部材を配置することである。
たとえば、図１および図２に対応した例は、図１６のようになる。
【００３１】
袋体（１１）の内部にはスペーサー部材（１６）が配置されている。このスペーサー部材（１６）は、袋体（１１）の成形時に突起部として内部に設けられていてもよい。
このスペーサー部材（１６）が配置された構造での放熱促進と放熱抑制の状態を例示する図１７のようになる。
（放熱促進状態）
吹込用ファン（１３Ｃ）を運転し、吸込用ファン（１３Ｄ）を停止すると、送風ダクト（１２）を通して袋体（１１）の中に空気が送風され、袋内の圧力が上がり、袋はふくらんでいき、やがて袋体（１１）の上側は床材（３）裏面に密着する。この状態では、袋体（１１）内部で形成される空気層は、空気層上面および下面とも放射率の高い材率で形成されるので、（放熱抑制状態に比較して）空気層の熱抵抗は小さくなる。
【００３２】
よって、蓄熱材（７）からの放熱は、（放熱抑制状態のときより）大きくなる。
（放熱抑制状態）
吹込用ファン（１３Ｃ）を停止し、吸込用ファン（１３Ｄ）を運転すると、袋体（１１）内の空気はダクト（１２）を通して排出され、袋体（１１）はしぼむ。ダクト（１２）口の付近の袋体（１１）が先にしぼんだとしても、スペーサー部材（１６）により空気の通り道が長さ方向に確保されているため、袋体（１１）内に排出されない空気が残るようなことはない。スペーサー部材（１６）は、図のように断面が十字形のもの、星形のもの、パイプの側面に穴をあけたものなどさまざまな形が考えられる。
【００３３】
この状態では、床材（３）裏面とアルミ箔面体（１４）で形成される空気層は、空気層下面が放射率の低い材質で形成されるので、（放熱抑制状態に比較して）空気層の熱抵抗は大きくなる。
よって、蓄熱材（７）からの放熱は、（放熱促進状態のときより）小さくなる。
【００３４】
以上のことから、十分な速さで袋の状態が切り替えられ、放熱制御が可能となる。
図１８、図１９、図２０、図２１および図２２は、各々、前記の図３、図４、図５、図６および図７に対応して、スペーサー部材（１６）を袋体（１１）内に配置した構造の放熱促進と放熱抑制の状態とを示した断面図である。
【００３５】
いずれの場合にも、速い状態で空気の排出が可能とされ、すみやかな切り替えで放熱制御が可能とされる。
図２３は、スペーサー部材の例を示したものである。樹脂製等として構成してよく、袋体（１１）の内部には挿入するだけでもよく、あるいは固定するようにしてもよい。また、このようなスペーサー部材、そして突起部は、中仕切りのある袋体構造においても同様に用いられることは言うまでもない。
【００３６】
もちろんこの出願の発明は、以上の例によって限定されるものではなく、細部の構成等については、さらに様々な態様が可能であることは言うまでもない。
【００３７】
【発明の効果】
以上詳しく説明したとおり、この出願の発明によって、蓄熱材からの放熱を自在に制御することのできる経済性に優れた蓄熱床暖房構造が提供される。
【図面の簡単な説明】
【図１】この出願の発明の袋体の上側外面を低放射率とした場合の構造を例示した（側）断面図である。
【図２】図１の構造について放熱の促進と抑制の状態を示した断面図である。
【図３】床材裏面を低放射率とした場合の放熱の促進と抑制の状態を示した断面図である。
【図４】袋体の上側外面および床材裏面を低放射率とした場合の放熱の促進と抑制の状態を示した断面図である。
【図５】袋体の上側内面を低放射率とした場合の放熱の促進と抑制の状態を示した断面図である。
【図６】袋体の下側内面を低放射率とした場合の放熱の促進と抑制の状態を示した断面図である。
【図７】袋体の上側内面および下側内面を低放射率とした場合の放熱の促進と抑制の状態を示した断面図である。
【図８】中仕切のある構造の放熱促進状態を例示した側断面図である。
【図９】図８に対応して、放熱抑制状態を例示した側断面図である。
【図１０】図８とは例を示した側断面図である。
【図１１】図８とは別の例を示した側断面図である。
【図１２】さらに別の例について放熱促進状態を例示した側断面図である。
【図１３】図１２に対応して、放熱抑制状態を例示した側断面図である。
【図１４】図１２とは別の例を示した側断面図である。
【図１５】放熱制御手段のさらに別の態様を例示した側断面図である。
【図１６】この出願の発明のスペーサー部材を用い、袋体の上側外面を低放射率とした場合の構造を例示した（側）断面図である。
【図１７】図１６の構造について放熱の促進と抑制の状態を示した断面図である。
【図１８】床材裏面を低放射率とした場合の放熱の促進と抑制の状態を示した断面図である。
【図１９】袋体の上側外面および床材裏面を低放射率とした場合の放熱の促進と抑制の状態を示した断面図である。
【図２０】袋体の上側側面を低放射率とした場合の放熱の促進と抑制の状態を示した断面図である。
【図２１】袋体の下側内面を低放射率とした場合の放熱の促進と抑制の状態を示した断面図である。
【図２２】袋体の上側内面および下側内面を低放射率とした場合の放熱の促進と抑制の状態を示した断面図である。
【図２３】スペーサー部材を例示した斜視図である。
【図２４】従来の構造を示した断面図である。
【符号の説明】
１  断熱材
２  合板
３  床材
４  根太
５  空気層
６  ヒータ
７  蓄熱材
８、８１、８２  放熱制御手段
９  中仕切り
１０、１０Ａ、１０Ｂ  空間
１１、１１Ａ、１１Ｂ  袋体
１２、１２Ａ、１２Ｂ  ダクト
１３、１３Ａ、１３Ｂ  ファン
１４、１４Ａ、１４Ｂ  面体
１５  四方弁
１６  スペーサー部材
【図１】
0003552547.tif 000002
【図２】
0003552547.tif 000003
【図３】
0003552547.tif 000004
【図４】
0003552547.tif 000005
【図５】
0003552547.tif 000006
【図６】
0003552547.tif 000007
【図７】
0003552547.tif 000008
【図８】
0003552547.tif 000009
【図９】
0003552547.tif 000010
【図１０】
0003552547.tif 000011
【図１１】
0003552547.tif 000012
【図１２】
0003552547.tif 000013
【図１３】
0003552547.tif 000014
【図１４】
0003552547.tif 000015
【図１５】
0003552547.tif 000016
【図１６】
0003552547.tif 000017
【図１７】
0003552547.tif 000018
【図１８】
0003552547.tif 000019
【図１９】
0003552547.tif 000020
【図２０】
0003552547.tif 000021
【図２１】
0003552547.tif 000022
【図２２】
0003552547.tif 000023
【図２３】
0003552547.tif 000024
【図２４】
0003552547.tif 000025